(57)【要約】【課題】コネクタのハウジングが筐体に取付けられたことを、クリック感という触覚のみならず、視覚によっても確認し、二重の保障を図ることができるコネクタのスライド式取付構造を提供する。【解決手段】コネクタ１は、ピン側コネクタ２とソケット側コネクタ６とから構成される。ピン側コネクタのインシュレータ（ハウジング）３の前面には、ソケット側コネクタ用の嵌合口３Ａと一対のストッパ３Ｂと突起３Ｃとが形成され、後面には、コンタクト保持孔と凹部３Ｅとが形成される。シャーシ１１には、コネクタ挿入用孔１１Ａと長孔１１Ｂと弾性変形可能な梁部１１Ｃとが形成される。まず、コネクタをシャーシの表面に対して斜めに移動させ、凹部をコネクタ挿入用孔１１Ａの縁部（短辺部）にはめ込む。次に、コネクタを縁部を中心として回転させると、突起は梁部を乗り越え、ストッパは梁部に当接するので、コネクタは回転を停止する。【選択図】　　　図１
2004071422.tif 000002
【特許請求の範囲】
【請求項１】
コネクタのハウジングの一面に凹部が、前記一面と対向する他面に突起とストッパが、それぞれ形成され、
筐体に、前記ハウジングが挿入される孔と、前記孔に近接して弾性変形可能な梁部とが、形成され、
前記ハウジングを前記筐体に斜めに挿入して取付ける際、前記梁部から隔離した前記孔の縁部に前記凹部をはめ込み、
前記ハウジングを前記縁部を中心として回転させることによって、前記突起が前記梁部を乗り越え、前記ストッパが前記梁部に当接し、
前記コネクタの前記筐体に対する角度姿勢を視覚によって認識することができることを特徴とするコネクタの斜め挿入式取付構造。
【発明の詳細な説明】
【０００１】
【発明の属する技術分野】
本発明は、ケーブルと他のケーブルとの中継等用のコネクタに関し、特にシャーシ等の筐体への取付完了の確認を容易に行うことができるコネクタの斜め挿入式取付構造に関する。
【０００２】
【従来の技術】
従来のコネクタのスライド式取付構造について図３を参照して説明する。
【０００３】
ピン側コネクタ２１のインシュレータ（ハウジング）２２は、図３（ａ）に示されるように、直方体形状に構成される。インシュレータ２２の一外面には、中央に被ロック突起２２Ａと、被ロック突起２２Ａの両側に断面Ｌ字形状の突出部２２Ｂとが一体に形成される。なお、インシュレータ２２に保持されるコンタクトは、図示を省略されている。
【０００４】
シャーシ３１には、図３（ｂ）に示されるように、断面Ｔ字形状の突出部３２が設けられ、突出部３２の中央には、孔３２Ａが形成されている。
【０００５】
コネクタ２１をシャーシ３１に取付ける操作は、次のように行われる。まず、図３（ａ）に示されるピン側コネクタ２１のインシュレータ２２を、矢印▲１▼に示されるように、１８０°表裏反転する。次に、インシュレータ２２を矢印▲２▼方向へシャーシ３１の表面に平行にスライドさせる。更に、インシュレータ２２の一対の突出部２２Ｂが、図３（ｃ）に示されるように、シャーシ３１の突出部３２にはまるようにスライドを進める。更に、スライドを進めると、図３（ｄ）に示されるようにインシュレータ２２の突起２２Ａは、突出部３２の孔３２Ａに入り込む。このとき、コネクタ２１をシャーシ３１に取付ける操作は、完了する。操作者は、操作の完了を、突起２２Ａが孔３２Ａに入り込んだときに発生するクリック感によって触覚することができる。
【０００６】
なお、この種のコネクタは、特開平６−２２３９２１号公報に記載されている。
【０００７】
【発明が解決しようとする課題】
前記従来のコネクタのスライド式取付構造においては、作業者は、ピン側コネクタ２１のシャーシ３１への取付完了を、クリック感のみによって認識している。したがって、コネクタ２１のシャーシ３１への取付が完了していないにもかかわらず、作業者は、完了したものと勘違いするという欠点が生じる。
【０００８】
そこで、本発明は、前記従来の技術の欠点を改良し、コネクタのインシュレータ等のハウジングがシャーシ等の筐体に取付けられたことを、クリック感という触覚のみならず、視覚によっても確認し、二重の保障を図ることができるコネクタの斜め挿入式取付構造を提供しようとするものである。
【０００９】
【課題を解決するための手段】
本発明は、前記課題を解決するため、次の手段を採用する。
【００１０】
コネクタのハウジングの一面に凹部が、前記一面と対向する他面に突起とストッパが、それぞれ形成され、筐体に、前記ハウジングが挿入される孔と、前記孔に近接して弾性変形可能な梁部とが、形成され、前記ハウジングを前記筐体に斜めに挿入して取付ける際、前記梁部から隔離した前記孔の縁部に前記凹部をはめ込み、前記ハウジングを前記縁部を中心として回転させることによって、前記突起が前記梁部を乗り越え、前記ストッパが前記梁部に当接し、前記コネクタの前記筐体に対する角度姿勢を視覚によって認識することができるコネクタの斜め挿入式取付構造。
【００１１】
【発明の実施の形態】
本発明の一実施の形態例のコネクタの斜め挿入式取付構造について図１と図２を参照して説明する。
【００１２】
図１（ａ）は、コネクタ１におけるピン側コネクタ２のインシュレータ（ハウジング）３の嵌合口側から見た斜視図、図１（ｂ）は、同インシュレータ３のケーブル接続口側から見た斜視図、図１（ｃ）は、シャーシ１１の斜視図、図１（ｄ）は、ピン側コネクタ２とソケット側コネクタ６とが嵌合した状態の斜視図を、それぞれ示す。
【００１３】
ピン側コネクタ２のインシュレータ３は、略直方体形状に構成される。インシュレータ３の前面には、図１（ａ）に示されるように、ソケット側コネクタ６が嵌合する嵌合口３Ａと、嵌合口３Ａの下部両側に突出するように形成された一対のストッパ３Ｂと、一対のストッパ３Ｂの中間の下部に形成された突起３Ｃとが、設けられる。
【００１４】
インシュレータ３の後面には、図１（ｂ）に示されるように、６本のコンタクト（図示せず）をそれぞれ保持する６個のコンタクト保持孔３Ｄと、６個のコンタクト保持孔３Ｄの下部に左側から右側までにわたって形成された凹部３Ｅとが、設けられる。
【００１５】
シャーシ１１は、１枚の金属板からプレス加工によって製作される。図１（ｃ）に示されるように、シャーシ１１には、長方形状のコネクタ挿入用孔１１Ａと、コネクタ挿入用孔１１Ａに近接する長孔１１Ｂと、コネクタ挿入用孔１１Ａと長孔１１Ｂとの間に位置する弾性変形可能な梁部１１Ｃとが、設けられる。
【００１６】
ピン側コネクタ２のインシュレータ３とシャーシ１１との寸法関係の設定を説明する。コネクタ挿入用孔１１Ａの長辺の寸法Ｌ２は、インシュレータ３の嵌合方向の寸法Ｌ１と凹部３Ｅの深さの寸法Ｅとの差よりも僅かに大きい。コネクタ挿入用孔１１Ａの短辺（縁部）の寸法Ｗ２は、インシュレータ３の幅方向の寸法Ｗ１よりも僅かに大きい。インシュレータ３における一対のストッパ３Ｂと突起３Ｃとの間の高さ方向の間隔Ｄ、及び、凹部３Ｅの幅Ｆは、それぞれシャーシ１１の板厚よりも僅かに大きい。
【００１７】
ピン側コネクタ２とソケット側コネクタ６とが嵌合すると、コネクタ１は図１（ｄ）の状態に至る。ピン側コネクタ２のインシュレータ３に保持される６本のコンタクトには、それぞれケーブル４が接続され、また、ソケット側コネクタ６のインシュレータ（ハウジング）７に保持される６本のコンタクト（図示せず）には、それぞれケーブル８が接続されている。
【００１８】
コネクタ１をシャーシ１１に取付ける操作は、次のように行われる。まず、図２（ａ）に示されるように、作業者は、手指によってコネクタ１をシャーシ１１の表面に斜めに矢印方向に移動させ、インシュレータ３の凹部３Ｅをシャーシ１１のコネクタ挿入用孔１１Ａの一方の短辺部（縁部）にはめ込む。次に、コネクタ１をコネクタ挿入用孔１１Ａの一方の短辺部を中心として、図２（ｂ）に示される矢印方向に回転させる。すると、インシュレータ３の突起３Ｃには斜面３Ｃ１が形成され、また、梁部１１Ｃが弾性変形するため、突起３Ｃはコネクタ挿入用孔１１Ａの他方の短辺部を乗り越える。そして、インシュレータ３の一対のストッパ３Ｂがコネクタ挿入用孔１１Ａの他方の短辺部に当接すると、コネクタ１は回転を停止する。このとき、操作者は、クリック感を触覚することができる。
【００１９】
操作者は、前述したようにクリック感の触覚によってコネクタ１がシャーシ１１の所定の位置に取付けられたことを確認することができると同時に、コネクタ１のシャーシ１１に対する角度姿勢を視覚によって認識し、コネクタ１がシャーシ１１の所定の位置に取付けられたことを二重に確認することができる。
【００２０】
【発明の効果】
以上の説明から明らかなように、本発明によれば、次の効果が奏される。
【００２１】
１．コネクタが筐体の所定の位置まで移動して取付けが完了したか否かを、クリック感という触覚と、コネクタの筐体に対する角度姿勢の認識という視覚とによって二重に容易に確認することができる。
【００２２】
２．従来のコネクタと筐体に簡素な改造を施すのみで所期の目的を達成することができる。
【００２３】
３．従来のコネクタのスライド式取付構造と対比して、部品点数は増加せず、また、コストは高価にならない。
【図面の簡単な説明】
【図１】本発明の一実施の形態例のコネクタの斜め挿入式取付構造の諸斜視図であり、（ａ）はピン側コネクタのインシュレータを嵌合口側から見たもの、（ｂ）は同インシュレータをケーブル接続口側から見たもの、（ｃ）はシャーシ、（ｄ）はピン側コネクタとソケット側コネクタとが嵌合した状態のものを、それぞれ示す。
【図２】同実施の形態例の取付過程の前面図であり、（ａ）は挿入過程、（ｂ）は回転過程を、それぞれ示す。
【図３】従来のコネクタのスライド式取付構造の諸図であり、（ａ）はピン側コネクタのインシュレータの斜視図、（ｂ）はシャーシの斜視図、（ｃ）は同インシュレータが同シャーシに対してスライドする途中の状態の断面図、（ｄ）は同インシュレータの同シャーシへの取付完了状態の断面図を、それぞれ示す。
【符号の説明】
１　　コネクタ
２　　ピン側コネクタ
３　　インシュレータ（ハウジング）
３Ａ　　嵌合口
３Ｂ　　ストッパ
３Ｃ　　突起
３Ｃ１　　斜面
３Ｄ　　コンタクト保持孔
３Ｅ　　凹部
４　　ケーブル
６　　ソケット側コネクタ
７　　インシュレータ（ハウジング）
８　　ケーブル
１１　　シャーシ
１１Ａ　　コネクタ挿入用孔
１１Ｂ　　長孔
１１Ｃ　　梁部
【図１】
2004071422.tif 000003
【図２】
2004071422.tif 000004
【図３】
2004071422.tif 000005